(57)【要約】【課題】  電気光学装置において、画像信号供給用端末から供給される画像信号の表示と、画像信号供給用端末を切り離して行う画像表示との切替を容易に行う。【解決手段】  画像信号供給用端末と該画像信号供給端末から供給される画像信号に基づいて画像表示を行う電気光学装置とを接続するケーブルに内蔵される電気光学装置用メモリ装置であって、画像信号供給端末から供給される画像信号を格納するフレームメモリと、入力される切替信号に応じて、(i)電気光学装置が画像信号供給端末から供給される画像信号を表示するように画像信号供給用端末を電気光学装置に接続するか又は(ii)電気光学装置がフレームメモリに格納されている画像信号を表示するようにフレームメモリを電気光学装置に接続する第１切替手段とを備える。【選択図】  図１
2006030846.tif 000002
【特許請求の範囲】
【請求項１】
画像信号を供給可能な画像信号供給用端末と、該画像信号供給端末から供給される画像信号に基づいて画像表示を行う電気光学装置とを接続するケーブルに内蔵される電気光学装置用メモリ装置であって、
前記画像信号供給端末から供給される画像信号を格納するフレームメモリと、
入力される切替信号に応じて、(i)前記電気光学装置が前記画像信号供給端末から供給される画像信号を表示するように前記画像信号供給用端末を前記電気光学装置に接続するか又は(ii)前記電気光学装置が前記フレームメモリに格納されている画像信号を表示するように前記フレームメモリを前記電気光学装置に接続する第１切替手段と
を備えたことを特徴とする電気光学装置用メモリ装置。
【請求項２】
前記画像信号供給用端末を前記フレームメモリに選択的に接続又は非接続する第２切替手段を更に備えたことを特徴とする請求項１に記載の電気光学装置用メモリ装置。
【請求項３】
前記第２切替手段は、前記第１切替手段により前記画像信号供給用端末が前記電気光学装置に接続されている状態で、前記画像信号供給用端末を前記フレームメモリに接続すること
を特徴とする請求項２に記載の電気光学装置用メモリ装置。
【請求項４】
前記切替信号を外部操作により入力するための操作手段を更に備えたことを特徴とする請求項１から３のいずれか一項に記載の電気光学装置用メモリ装置。
【請求項５】
前記画像信号供給用端末は、前記切替信号を外部操作により入力するための操作手段を含むことを特徴とする請求項１から３のいずれか一項に記載の電気光学装置用メモリ装置。
【請求項６】
請求項１から５のいずれか一項に記載の電気光学装置用メモリ装置と、前記画像信号供給用端末と、前記電気光学装置と
を備えたことを特徴とする電子機器。
【発明の詳細な説明】
【技術分野】
【０００１】
本発明は、例えば液晶プロジェクタなどの液晶装置等の電気光学装置に用いられる電気光学装置用メモリ装置、及びそのような電気光学装置用メモリ装置を具備してなる電子機器の技術分野に関する。
【背景技術】
【０００２】
この種の電子機器では、例えば、パーソナルコンピュータ等の画像信号供給用端末から供給される画像信号に基づいて、液晶プロジェクタ等の電気光学装置によって画像表示が行われる。この際、画像信号供給用端末において画像表示が行われている状態で、画像信号供給用端末と同一の画像が電気光学装置において表示される。従って、画像信号供給用端末を電気光学装置から切り離して、別の画像信号供給用端末を接続する場合、電気光学装置において、画像表示が中断するという不具合が生じる恐れがある。
【０００３】
ここで、特許文献１から３には、フレームメモリを有するプロジェクタが開示されている。特許文献１から３によれば、プロジェクタにおいて、予めフレームメモリに格納された、外部からの入力画像の画像データに基づいて、画像表示が行われる。よって、画像信号供給用端末から切り離された状態で、独立にプロジェクタで画像表示を行うことにより、前述したような不具合を解消することができる。
【０００４】
【特許文献１】特開２００１−３５６４０５号公報
【特許文献２】特開平７−７６８４号公報
【特許文献３】特開平９−１４６５０１号公報
【発明の開示】
【発明が解決しようとする課題】
【０００５】
しかしながら、特許文献１から特許文献３に開示の技術によれば、プロジェクタと画像信号供給用端末とは直接信号ケーブル等によって互いに接続されている。従って、電気光学装置が画像表示を行っている状態で、画像信号供給用端末において、電気光学装置に表示された画像とは異なる画像を表示する場合には、電気光学装置におけるフレームメモリに予め画像を入力しておいて信号ケーブルを切り離した後、画像信号供給用端末において画像表示を行う必要がある。よって、電気光学装置において、画像信号供給用端末が接続された状態で、画像信号供給用端末から供給される画像信号に基づいて行う画像表示（以下適宜、第１画像表示と称することもある）と、画像信号供給用端末を切り離して、フレームメモリに格納されている画像信号に基づいて行う画像表示（以下適宜、第２画像表示と称することもある）との切替に係る手間が煩雑となる恐れがある。
【０００６】
本発明は、例えば上記問題点に鑑みなされたものであり、プロジェクタ等の電気光学装置において、第１画像表示と、第２画像表示との切替を容易に行うことが可能な電気光学装置用メモリ装置並びにそのような電気光学装置用メモリ装置を具備してなる電子機器を提供することを課題とする。
【課題を解決するための手段】
【０００７】
本発明の電気光学装置用メモリは上記課題を解決するために、画像信号を供給可能な画像信号供給用端末と、該画像信号供給端末から供給される画像信号に基づいて画像表示を行う電気光学装置とを接続するケーブルに内蔵される電気光学装置用メモリ装置であって、前記画像信号供給端末から供給される画像信号を格納するフレームメモリと、入力される切替信号に応じて、(i)前記電気光学装置が前記画像信号供給端末から供給される画像信号を表示するように前記画像信号供給用端末を前記電気光学装置に接続するか又は(ii)前記電気光学装置が前記フレームメモリに格納されている画像信号を表示するように前記フレームメモリを前記電気光学装置に接続する第１切替手段とを備える。
【０００８】
本発明の電気光学装置用メモリによれば、フレームメモリには、パーソナルコンピュータ等の画像信号供給用端末から画像信号が供給される。そして、フレームメモリには、例えば１画面を表示するための画像信号、即ち１フレーム分の画像信号が格納され、フレームメモリの内容が更新される。
【０００９】
第１切替手段には切替信号が入力される。切替信号は、例えば画像信号供給用端末から入力されるようにしてもよいし、画像信号供給用端末に加えて又は代えてリモコン等から入力されるようにしてもよい。第１切替手段は、切替信号に応じて、電気光学装置と、フレームメモリ及び画像信号供給用端末のいずれかとを接続する。電気光学装置は、例えば液晶装置である液晶プロジェクタによって構成される。
【００１０】
画像信号供給用端末側への切替信号が入力されると、第１切替手段を介して、電気光学装置と画像信号供給用端末とは、直接接続される。この場合、電気光学装置と画像信号供給用端末とは、フレームメモリを介することなく、即ちフレームメモリをバイパスして、直接接続される。または、第１切替手段によって、電気光学装置とフレームメモリとが後述するように接続されると共に、フレームメモリに１フレーム分の画像信号が入力される毎に、１フレーム分の画像信号がフレームメモリから順次出力されるように、画像信号供給用端末をフレームメモリを介して電気光学装置に接続するようにしてもよい。このように、電気光学装置と画像信号供給用端末とが接続されることによって、電気光学装置は、画像信号供給端末から供給される画像信号を表示する。
【００１１】
他方、フレームメモリ側への切替信号が入力されると、第１切替手段を介して、電気光学装置とフレームメモリとが接続される。このように電気光学装置とフレームメモリとが接続されると、例えば、フレームメモリを介して、フレームメモリに格納されている１フレーム分の画像信号が静止画として又は繰り返して、電気光学装置に出力される。電気光学装置は、このようにフレームメモリから出力される画像信号を表示する。
【００１２】
本発明の電気光学装置用メモリはケーブルに内蔵されるため、コンパクト性や携帯性に優れる。そして、本発明の電気光学装置用メモリが内蔵されたケーブルによって、電気光学装置と画像信号供給用端末とを接続することにより、フレームメモリが内蔵されているかいないかに関わらず、電気光学装置において、第１画像表示と第２画像表示との切替を、第１切替手段によって容易に行うことが可能となる。このように、第１画像表示と第２画像表示とを切り替えることにより、画像信号供給用端末において、画像信号を供給する期間と、画像信号を供給しない期間とを切り替えることができる。第２画像表示時、画像信号供給用端末は、例えば、電気光学装置及びフレームメモリから切り離されて、画像信号を供給しない状態となる。よって、第２画像表示時、画像信号供給用端末では、電気光学装置における表示画像と異なる画像を表示しつつ、単独でデータ処理等を行うことが可能となる。従って、例えば、会議中に、電気光学装置において会議資料を表示して、第１画像表示と第２画像表示を、画像信号供給用端末或いはリモコン等により所望のタイミングで切り替えることにより、適宜、画像信号供給用端末において会議録を作成したりすることができ、実施上、大変便利である。
【００１３】
本発明の電気光学装置用メモリ装置の一態様では、前記画像信号供給用端末を前記フレームメモリに選択的に接続又は非接続する第２切替手段を更に備える。
【００１４】
この態様によれば、第２切替手段によって、フレームメモリと画像信号供給用端末との接続又は非接続が選択的に行われる。よって、第２切替手段によって、画像信号供給用端末からフレームメモリへの画像信号の供給タイミングを、第１接続手段による接続動作とは独立させて選択することが可能となる。尚、第２切替手段による、フレームメモリと画像信号供給用端末との接続又は非接続は、第１切替手段と同様に、例えば画像信号供給用端末や、画像信号供給用端末に加えて又は代えてリモコン等から入力される切替信号に応じて行われるようにしてもよい。
【００１５】
より具体的には、第１切替手段によって、電気光学装置とフレームメモリとが接続された状態で、第２切替手段によってフレームメモリと画像信号供給用端末とを接続させることにより、上述したように、画像信号供給用端末をフレームメモリを介して電気光学装置に接続するようにしてもよい。または、第１切替手段によって、電気光学装置と画像信号供給用端末とが接続された状態で、第２切替手段によってフレームメモリと画像信号供給用端末とを接続させるようにしてもよい。加えて、第１切替手段に切替信号が入力されていない状態、即ち第１切替手段によって接続が行われていない状態で、フレームメモリと画像信号供給用端末とが第２切替手段によって接続されるようにしてもよい。
【００１６】
ここで、第２切替手段によって、フレームメモリと画像信号供給用端末との接続が切断、即ちフレームメモリと画像信号供給用端末とが非接続されると、フレームメモリには、例えば、画像信号供給用端末から供給された最終のフレームに係る画像信号が格納され続けることになる。よって、第１切替手段によって、フレームメモリと電気光学装置とが接続されることによって、電気光学装置において、画像信号供給用端末から供給された最終のフレームに係る画像信号を表示し続けることが可能となる。
【００１７】
この第２切替手段を更に備える態様では、前記第２切替手段は、前記第１切替手段により前記画像信号供給用端末が前記電気光学装置に接続されている状態で、前記画像信号供給用端末を前記フレームメモリに接続するように構成してもよい。
【００１８】
このように構成すれば、第１画像表示時、第２切替手段を介して、画像信号供給用端末とフレームメモリとが接続されることにより、画像信号供給用端末から電気光学装置に供給される画像信号が、フレームメモリにも格納される。よって、第２切替手段によって、画像信号供給用端末とフレームメモリとが非接続の状態となると共に、第１切替手段によって、フレームメモリと電気光学装置とが接続されて、第２画像表示を行う際も、第１画像表示の表示画像を継続して表示することが可能となる。
【００１９】
本発明の電気光学装置用メモリ装置の他の態様では、前記切替信号を外部操作により入力するための操作手段を更に備える。
【００２０】
この態様によれば、操作手段は例えばリモコンによって構成される。そして、操作手段における外部操作に基づいて、操作手段より切替信号が第１切替手段に入力されることにより、容易に、第１画像表示と第２画像表示の切替を所望のタイミングで行うことが可能となる。
【００２１】
本発明の電気光学装置用メモリの他の態様では、前記画像信号供給用端末は、前記切替信号を外部操作により入力するための操作手段を含む。
【００２２】
この態様によれば、操作手段は、例えばキーボード等の入力装置によって構成される。そして、入力装置における入力操作が外部操作として行われ、この入力操作に基づいて、操作手段より切替信号が第１切替手段に入力されることにより、容易に、第１画像表示と第２画像表示の切替を所望のタイミングで行うことが可能となる。
【００２３】
本発明の電子機器は上記課題を解決するために、上述した本発明の電気光学装置用メモリ装置（但し、その各種態様も含む）と、前記画像信号供給用端末と、前記電気光学装置とを備える。
【００２４】
本発明の電子機器によれば、本発明の電気光学装置用メモリ装置を具備するので、第１画像表示と第２画像表示との切替を容易に行うことが可能となる。よって、画像信号供給用端末において、適宜、電気光学装置における表示画像と異なる画像を表示しつつ、単独でデータ処理等を行うことが可能となる。
【００２５】
本発明のこのような作用及び他の利得は次に説明する実施の形態から明らかにされる。
【発明を実施するための最良の形態】
【００２６】
以下では、本発明の電子機器に係る実施形態について、図１から図４を参照して説明する。図１は、本発明の電子機器の実際的な構成を示す図であって、図２は、本発明の電子機器の構成を示すブロック図であり、図３は、パーソナルコンピュータの構成例を示す斜視図であり、図４は、電気光学装置の構成例を示す平面配置図である。
【００２７】
先ず、電子機器の構成について説明する。図１及び図２に示すように、電子機器は、本発明に係る「画像信号供給用端末」の一例であるパーソナルコンピュータ４００と、ケーブルに内蔵される電気光学装置用メモリ装置３００と、パーソナルコンピュータ４００に電気光学装置用メモリ装置３００が内蔵されたケーブルによって接続された本発明に係る「電気光学装置」の一例であるプロジェクタ２００とを含む。
【００２８】
ここで、図３に示すように、パーソナルコンピュータ４００は、本発明に係る「操作手段」の一例であるキーボード１２０２を備えた本体部１２０４と、表示ユニット１２０６とから構成されている。
【００２９】
また、図４に示すように、プロジェクタ２００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶モジュールを用いて構成されている。
【００３０】
ライトバルブ１１１０Ｒ、１１１０Ｂおよび１１１０Ｇにおいて液晶モジュールは、後述するように、パーソナルコンピュータ４００から供給される画像信号に基づいて、夫々駆動されるものである。そして、これらの液晶モジュールによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００３１】
図２に戻り、電気光学装置用メモリ装置３００の構成について説明する。電気光学装置用メモリ装置３００は、第１切替手段３０２、第２切替手段３０４、及びフレームメモリ３０６を含む。
【００３２】
第１切替手段３０２は、後述するように入力される切替信号Ｓｃに応じて、プロジェクタ２００とパーソナルコンピュータ４００とを接続し、又はプロジェクタ２００とフレームメモリ３０６とを接続する。
【００３３】
また、第２切替手段３０４は、フレームメモリ３０６とパーソナルコンピュータ４００とを選択的に接続又は非接続する。尚、第２切替手段３０４による、フレームメモリ３０６とパーソナルコンピュータ４００との接続又は非接続は、第１切替手段３０２と同様の切替信号に応じて行われるようにしてもよい。
【００３４】
フレームメモリ３０６には、パーソナルコンピュータ４００から画像信号が供給される。そして、フレームメモリ３０６には、例えば１画面を表示するための画像信号、即ち１フレーム分の画像信号が格納され、フレームメモリ３０６の内容が更新される。
【００３５】
次に、電子機器の動作について説明する。第２切替手段３０４によって、フレームメモリ３０６とパーソナルコンピュータ４００との接続又は非接続が選択的に行われる。フレームメモリ３０６とパーソナルコンピュータ４００とが接続されると、フレームメモリ３０６には、パーソナルコンピュータ４００から画像信号が供給される。この際、予めフレームメモリ３０６に格納された画像信号を、例えばパーソナルコンピュータ４００を用いて消去してから、画像信号をパーソナルコンピュータ４００より新たに供給することにより、フレームメモリ３０６が更新されるようにしてもよい。また、第１切替手段３０３に切替信号Ｓｃが入力されていない状態で、フレームメモリ３０６とパーソナルコンピュータ４００とが第２切替手段３０４によって接続されて、フレームメモリ３０６に、画像信号が供給されるようにしてもよい。よって、本実施形態では、第２切替手段３０４によって、パーソナルコンピュータ４００からフレームメモリ３０６への画像信号の供給タイミングを、第１切替手段３０３による接続動作から独立させて選択することが可能となる。
【００３６】
本実施形態では、パーソナルコンピュータ４００において、例えばキーボード１２０２における入力操作に基づいて、本体部１２０４より、第１切替手段３０２に切替信号Ｓｃが出力される。
【００３７】
第１切替手段３０２に、パーソナルコンピュータ４００側への切替信号Ｓｃが入力されると、プロジェクタ２００とパーソナルコンピュータ４００とが、第１切替手段３０２を介して直接接続される。そして、プロジェクタ２００には、パーソナルコンピュータ４００から画像信号が供給され、プロジェクタ２００は供給された画像信号に基づいて第１画像表示を行う。この際、第２接続手段３０４によって、パーソナルコンピュータ４００及びフレームメモリ３０６が接続されると、パーソナルコンピュータ４００からプロジェクタ２００に供給される画像信号が第２切替手段３０４を介してフレームメモリ３０６にも供給され、フレームメモリ３０６に格納される。
【００３８】
或いは、プロジェクタ２００において第１画像表示を行う際、第１切替手段３０２によって、プロジェクタ２００とフレームメモリ３０６とが接続されると共に、フレームメモリ３０６に１フレーム分の画像信号が入力される毎に、１フレーム分の画像信号がフレームメモリ３０６から順次出力されるように、第２切替手段３０４によってパーソナルコンピュータ４００とフレームメモリ３０６とを接続することによって、パーソナルコンピュータ４００をフレームメモリ３０６を介してプロジェクタ２００に接続するようにしてもよい。
【００３９】
ここで、第２切替手段３０４によって、フレームメモリ３０６とパーソナルコンピュータ４００との接続が切断されると、フレームメモリ３０６には、例えば、パーソナルコンピュータ４００から供給された最終のフレームに係る画像信号が格納され続けることになる。
【００４０】
この状態で、フレームメモリ３０６側への切替信号Ｓｃが第１切替手段３０２に入力されると、第１切替手段３０２を介して、プロジェクタ２００とフレームメモリ３０６とが接続される。そして、プロジェクタ２００には、フレームメモリ３０６に格納されている、例えば１フレーム分の画像信号が静止画として又は繰り返して、出力される。プロジェクタ２００は、このようにフレームメモリ３０６から出力される画像信号を表示することで、第２画像表示を行う。従って、プロジェクタ２００において、パーソナルコンピュータ４００から供給された最終のフレームに係る画像信号を表示し続けることが可能となる。よって、プロジェクタ２００において、第１画像表示と同一の表示画像を、第２画像表示においても継続して表示することが可能となる。
【００４１】
本実施形態によれば、電気光学装置用メモリ３００はケーブルに内蔵されるため、コンパクト性や携帯性に優れる。そして、図１に示すように、電気光学装置用メモリ３００が内蔵されたケーブルによって、プロジェクタ２００とパーソナルコンピュータ４００とを接続することにより、フレームメモリが内蔵されているかいないかに関わらず、プロジェクタ２００において、第１画像表示と第２画像表示との切替を、第１切替手段３０２によって容易に行うことが可能となる。また、パーソナルコンピュータ４００より切替信号Ｓｃの供給を行うことにより、第１画像表示と第２画像表示との切替を第１切替手段３０２によって容易に所望のタイミングで行うことが可能となる。これにより、パーソナルコンピュータ４００において、画像信号を供給する期間と、画像信号を供給しない期間とを、所望のタイミングで切り替えることができる。即ち、第２画像表示時、パーソナルコンピュータ４００はプロジェクタ２００及びフレームメモリ３０６から切り離されて、画像信号を供給しない状態となる。よって、第２画像表示時、パーソナルコンピュータ４００では、プロジェクタ２００における表示画像と異なる画像を表示しつつ、単独でデータ処理等を行うことが可能となる。
【００４２】
尚、以上説明した本実施形態では、第１切替手段３０２に対して、パーソナルコンピュータ４００に加えて又は代えてリモコン等の操作手段から切替信号Ｓｃを入力するようにしてもよい。
【００４３】
本発明は、上述した実施形態に限られるものではなく、請求の範囲及び明細書全体から読み取れる発明の要旨或いは思想に反しない範囲で適宜変更可能であり、そのような変更を伴う電気光学装置用メモリ、及び該電機光学装置用メモリを備えてなる電子機器もまた本発明の技術的範囲に含まれるものである。
【図面の簡単な説明】
【００４４】
【図１】本発明の電子機器の実際的な構成を示す図である。
【図２】本発明の電子機器の構成を示すブロック図である。
【図３】パーソナルコンピュータの構成例を示す斜視図である。
【図４】プロジェクタの構成例を示す平面配置図である。
【符号の説明】
【００４５】
２００…プロジェクタ、３００…電気光学装置用メモリ装置、３０２…第１切替手段、３０４…第２切替手段、３０６…フレームメモリ、４００…パーソナルコンピュータ
【図１】
2006030846.tif 000003
【図２】
2006030846.tif 000004
【図３】
2006030846.tif 000005
【図４】
2006030846.tif 000006